(57)【要約】【課題】  簡便で且つ強固なコンピュータのデータ保護システムを提供すること。【解決手段】  コンピュータの記憶装置に、そのコンピュータと無線通信する携帯電話機に付与された固有識別データを記憶させておき、前記コンピュータと前記電話機が無線通信したとき、その固有識別データが前記記憶装置の固有識別データと完全に一致するか否かを前記コンピュータで判定し、前記条件が満たされるときには前記コンピュータの入力装置を操作可能状態に保持し、データを記憶装置に記録する際は暗号化処理を行ってから記録し、前記条件が満たされないとき、前記入力装置を操作不可能状態に切換えること。【選択図】図１
2006024163.tif 000002
【特許請求の範囲】
【請求項１】
コンピュータの記憶装置に、そのコンピュータと無線通信する携帯電話機に予め付与されている固有識別データを記憶させておき、前記コンピュータと前記電話機が無線通信したとき、その固有識別データが前記記憶装置の固有識別データと完全に一致するか否かを前記コンピュータで判定し、前記条件が満たされるときには前記コンピュータの入力装置を操作可能状態に保持し、データを記憶装置に記録する際は暗号化処理を行ってから記録し、前記条件が満たされないとき、前記入力装置を操作不可能状態に切換えることを特徴とするコンピュータのデータ保護システム。
【請求項２】
コンピュータは、起動直後から無線通信圏内にある携帯電話機と適宜インターバルで無線通信を行いその固有識別データを受信し、予め記憶装置に設定されている固有識別データと前記受信データが完全に一致しているか否かを判定し、前記条件が満たされているときは前記コンピュータの入力装置を操作可能状態に保持し、データを記憶装置に記録する際は暗号化処理を行ってから記録し、前記条件が満たされないとき、前記入力装置を操作不可能状態に切換えることを特徴とする請求項１のコンピュータのデータ保護システム。
【発明の詳細な説明】
【技術分野】
【０００１】  本発明は、コンピュータのデータ保護システムに関する。
【背景技術】
【０００２】  近年のオフィスはもちろん、家庭においても、一人に一台のコンピュータを使用することが当り前の状況になり、コンピュータ抜きでの生活は考えられない状況になりつつある。【０００３】  さらにビジネス上の顧客データ、個人のプライバシー情報等、コンピュータ内に蓄積される機密情報は増加の一途をたどっている。その一方でコンピュータ自体は軽量、小型化が進み、気軽に持ち運びができる状況にある。【０００４】  このような状況において、例えば外出先でコンピュータからその使用者（所有者）が離れてしまうと、当該コンピュータの使用者ではない第三者であっても、そのコンピュータを操作し機密情報等を勝手に引き出したり、削除したり、改ざんすることが可能である。
あるいは使用者の過失により紛失したり、第三者が持ち去ったりした場合はコンピュータ内の全ての情報が閲覧される可能性すらある。【０００５】従来、上記のような事態を防ぐために、パスワードを設定したり、専用のハードウェアキーを使用したりする方法がとられている。
【特許文献１】特開２００２−３１２０５１号公報
【発明の開示】
【発明が解決しようとする課題】
【０００６】  しかしながら、上述した従来の方法では、パスワードの入力は煩わしく設定が省かれていたり、専用キーの場合は常にキーを持っていないと使用できない等問題点も多い。
さらに、これらの方法ではコンピュータ自体が盗難にあって分解され記憶装置のみを他のコンピュータに接続された場合は全くデータ保護ができないという欠点がある。
そこで本発明は以上のようなコンピュータのデータ保護状況に鑑み、もっと簡素でかつ確実なな手法により、コンピュータのデータ保護システムを提供することを、その課題とする。
【課題を解決するための手段】
【０００７】  上記課題を解決することを目的としてなされた本発明は、コンピュータの記憶装置に、そのコンピュータと無線通信する携帯電話機に付与された固有識別データを記憶させておき、前記コンピュータと前記電話機が無線通信したとき、その固有識別データが前記記憶装置の固有識別データと完全に一致するか否かを前記コンピュータで判定し、前記条件が満たされるときには前記コンピュータの入力装置を操作可能状態に保持し、データを記憶装置に記録する際は暗号化処理を行ってから記録し、前記条件が満たされないとき、前記入力装置を操作不可能状態に切換えることを特徴とするものである。【０００８】  コンピュータは、起動直後から無線通信圏内にある携帯電話機と適宜インターバルで無線通信を行いその固有識別データを受信し、予め記憶装置に設定されている固有識別データと前記受信データが完全に一致しているか否かを判定し、前記条件が満たされているときは前記コンピュータの入力装置を操作可能状態に保持し、データを記憶装置に記録する際は暗号化処理を行ってから記録し、前記条件が満たされないとき、前記入力装置を操作不可能状態に切換えるように作動する。
【発明の効果】
【０００９】  本発明は以上の通りであるから、きわめて簡便かつ安価な手法でコンピュータのデータ保護を強固にすることが可能になる。
【発明を実施するための最良の形態】
【００１０】  以下、本発明を実施するための最良の形態について図を用いて詳細に説明する。
図１は本発明データ保護システムを導入したコンピュータのブロック図、図２は本発明のフローチャート図である。【００１１】  図１はパソコン等のコンピュータの基本構成を示したものである。１はキーボード、マウス等の入力装置、２はハードディスク等の外部記憶装置で、入力したデータやプログラム等が格納される。３は主記憶装置で実行中のＯＳ、プログラム、データ等が格納され、４はＣＰＵなどの処理装置であり、また５はディスプレーなどの出力装置である。【００１２】  上記のコンピュータにおいて、ペアになる携帯電話の固有識別データを予め登録し、２の外部記憶装置に記録しておく。【００１３】  また、当該携帯電話上では、電源投入時にペアとなるコンピュータと固有識別データを無線で送受信するためのプログラムが作動する。【００１４】  一方、当該コンピュータ側ではＯＳが起動した時点で、ペアになる当該携帯電話の固有識別データを無線で送受信するプログラムが作動し、任意に設定できるインターバルで当該携帯電話と無線通信を行いその固有識別データを受信し、予め２の記憶装置に設定されている固有識別データと前記受信データが完全に一致しているか否かを判定し、前記条件が満たされているときは１の入力装置を操作可能状態にする。また、データを２の外部記憶装置に記録する際はエンコード（暗号化）処理を行ってから記録し、逆に読み出す際はデコード（暗号解読化）処理を行う。【００１５】他方、当該携帯電話と無線通信が出来ないか、または受信された固有識別データ固有識別データが２の外部記憶装置に記録されているデータを一致しないとき、１の入力装置を操作不可能状態に切換えるように作動する。【００１６】  上記動作は、図２のフローチャート図に示す順序で進む。ステップＳ１で予めコンピュータに設定されている固有識別データを読み出し設定する。ステップＳ２で固有識別データの受信を行う。ステップＳ３で固有識別データの受信があるかどうかを判定し、受信データがない場合は、入力装置を操作不可能状態に設定する（ステップＳ６）。【００１７】  一方ステップＳ３で受信データがある場合は、受信データがＳ１の設定データと一致しているか判定する（ステップＳ４）。一致していない場合は、入力装置を操作不可能状態に設定し（ステップＳ６）、一致している場合は、入力装置を操作可能状態にし、また、データを２の外部記憶装置に記録する際はエンコード（暗号化）処理を行ってから記録し、逆に読み出す際はデコード（暗号解読化）処理を行う（ステップＳ７）。【００１８】  次にステップＳ７で終了指示があるかどうか判定し、終了指示がない場合はインターバル時間待機し（ステップＳ８）、その後次の固有識別データの受信に進む（ステップＳ２）。【００１９】  以上の結果、上記コンピュータは携帯電話Ｐから無線通信で固有識別データを受信できている限り、通常通り操作することができるが、携帯電話Ｐから固有識別データを受信できない場合は、入力装置１が操作不可能状態になるため、携帯電話機Ｐを保持している者以外の第三者が当該コンピュータを操作することは不可能になる。また仮に第三者が当該コンピュータを持ち去り外部記憶装置のみを取り出したとしても、記録データは暗号化処��がされているためデータの機密性は保たれる。【００２０】  つまり、本発明における携帯電話機Ｐは、パスワードやキーワードなどをキーとするコンピュータのロック手段と同様のロック手段を構成することになるのである。【００２１】  また（なお）、本発明は上述の発明を実施するための最良の形態に限らず本発明の要旨を逸脱することなくその他種々の構成を採り得ることはもちろんである。
【図面の簡単な説明】
【００２２】
【図１】本発明、コンピュータのデータ保護システムを導入したコンピュータのブロック図
【図２】本発明、コンピュータのデータ保護システムの動作例のフローチャート図
【符号の説明】
【００２３】  １  入力装置
２  外部記憶装置
３  主記憶装置
４  処理装置
５  出力装置
Ｐ  携帯電話機
【図１】
2006024163.tif 000003
【図２】
2006024163.tif 000004